(57)【要約】      （修正有）【課題】視認性に優れた警告表示が可能な車両用表示装置を安価に提供する。【解決手段】表示パネルは、警告画像７４を表示する。制御手段は、表示パネルに警告マーク７４ａ，７４ｂを表示させる。制御手段は、警告マーク７４ａ，７４ｂを第一の色にて表示させると共に、警告マーク７４ａ，７４ｂの縁取り部７４ｃ，７４ｄを第二の色にて点滅表示させる。制御手段は、警告マーク７４ａ，７４ｂ及び縁取り部７４ｃ，７４ｄからなる警告画像７４の背景を黒色表示させる。【選択図】図３
2013032030.tif 000002
【特許請求の範囲】
【請求項１】
警告画像を表示可能な表示パネルと、前記表示パネルに警告マークを表示させる制御手段と、を備えた車両用表示装置であって、
前記制御手段は、前記警告マークを第一の色にて表示させると共に、前記警告マークの縁取り部を第二の色にて点滅表示させることを特徴とする車両用表示装置。
【請求項２】
前記制御手段は、前記警告マーク及び前記縁取り部からなる前記警告画像の背景を黒色表示させることを特徴とする請求項１に記載の車両用表示装置。
【請求項３】
前記制御手段は、前記第二の色の明度が漸次変化するように、前記縁取り部を表示させることを特徴とする請求項１に記載の車両用表示装置。
【発明の詳細な説明】
【技術分野】
【０００１】
本発明は、警告画像を表示する車両用表示装置に関するものである。
【背景技術】
【０００２】
従来より、各種警告灯を表示する車両用表示装置が種々提案されており、例えば特許文献１に開示されている。斯かる車両用表示装置は、インストルメントパネルに設置される表示パネルの表示画面に、通常時の運行に必要な通常情報が表示される通常情報表示領域と、各種の警告表示が表示される警告表示領域とを設けたものである。更に、表示パネルの表示画面には、通常情報表示領域及び警告表示領域以外の所定の領域に、異常の発生を知らせるための異常発生表示領域が設けられており、異常が発生したときに異常発生表示領域が所定の発光色で点灯または点滅する。
【０００３】
一方、特許文献２には、液晶表示パネルと、この液晶表示パネルの背面側に配置された光源ユニットとから構成された車両用表示装置が開示されている。この車両用表示装置は、光源ユニットが発するによって液晶表示パネルを透過照明するものであり、光源ユニットは、単色表示の表示色またはこの表示色に近い所定の色で発光する第１光源と、単色表示以外の表示へ切り替える場合に点灯させる第２光源とを備えている。
【先行技術文献】
【特許文献】
【０００４】
【特許文献１】特開平１１−７８６１１号公報
【特許文献２】特許第３９８８５７５号公報
【発明の概要】
【発明が解決しようとする課題】
【０００５】
特許文献１に開示された車両用表示装置は、異常が発生したときに、異常発生表示領域の略全域が点灯または点滅するために、異常の発生を迅速に認識できるという利点を有するが、車両運転者が警告表示領域に表示された警告内容を視認し難くなる虞があった。
また、特許文献２に開示された車両用表示装置は、光源ユニットが第１光源及び第２光源を備えるものであるため、光源ユニットが高価であるという問題を有していた。
本発明は、これらの問題に鑑みなされたものであり、視認性に優れた警告表示が可能な車両用表示装置を安価に提供することを目的とするものである。
【課題を解決するための手段】
【０００６】
本発明は、請求項１に記載のように、警告画像７４，７５を表示可能な表示パネル３１と、前記表示パネル３１に警告マーク７４ａ，７４ｂ，７５ａ，７５ｂを表示させる制御手段５０と、を備えた車両用表示装置であって、前記制御手段５０は、前記警告マーク７４ａ，７４ｂ，７５ａ，７５ｂを第一の色にて表示させると共に、前記警告マーク７４ａ，７４ｂ，７５ａ，７５ｂの縁取り部７４ｃ，７４ｄ，７５ｃ，７５ｄを第二の色にて点滅表示させるものである。
【０００７】
また、本発明は、請求項２に記載のように、前記制御手段５０は、前記警告マーク７４ａ，７４ｂ，７５ａ，７５ｂ及び前記縁取り部７４ｃ，７４ｄ，７５ｃ，７５ｄからなる前記警告画像７４，７５の背景を黒色表示させるものである。
【０００８】
また、本発明は、請求項３に記載のように、前記制御手段は、前記第二の色の明度が漸次変化するように、前記縁取り部７４ｃ，７４ｄ，７５ｃ，７５ｄを表示させるものである。
【発明の効果】
【０００９】
警告マークを点滅させずに、縁取り部のみを点滅表示させることにより、視認性に優れた警告画像となる。
【図面の簡単な説明】
【００１０】
【図１】本発明の第一実施形態を示す正面図。
【図２】同上実施形態を示すブロック図。
【図３】同上実施形態を示す画面説明図。
【図４】本発明の第二実施形態を示す画面説明図。
【発明を実施するための形態】
【００１１】
以下、添付図面に基づいて、本発明の一実施形態を説明する。図１乃至図３は、第一実施形態を示すものである。車両用表示装置は、指針式計器１０，２０及び液晶表示器３０を備えている。
【００１２】
指針式計器１０は車両速度を表示する速度計であり、指針式計器２０はエンジンの回転数を表示する回転計である。指針式計器１０，２０は、夫々、文字板１１，２１，指針１２，２２，ステッピングモータ１３，２３を有している。文字板１１，２１は、指針１２，２２に指示される指標部１１ａ，２１ａを有している。指針１２，２２はステッピングモータ１３，２３により回動され、文字板１１，２１の指標部１１ａ，２１ａを指示する。
【００１３】
見返し部材４０には、指針式計器１０，指針式計器２０に対応する円形の開口４１，４２と、液晶表示器３０に対応する矩形の開口４３とが形成されている。
【００１４】
図３は、車両用表示装置の電気的構成を示すブロック図である。マイコン５０は、ＣＰＵ５１，ＲＯＭ５２，ＲＡＭ５３を有している。速度センサ６１は、車両速度を検出し、マイコン５０に速度データを出力する。回転センサ６２は、エンジンの回転数を検出し、マイコン５０に回転数データを出力する。マイコン５０は、ＲＯＭ５２に格納されている所定のプログラムに基づいて、ステッピングモータ１３，２３，液晶表示器３０を駆動する。
【００１５】
液晶表示器３０は、ＴＦＴ（Thin Film Transistor）型液晶表示素子からなる液晶表示パネル（表示パネル）３１と、この液晶表示パネル３１を透過照明する発光素子３２と、を有している。
【００１６】
液晶表示器３０の画面３０ａには、残燃料を示す画像７１，シフトポジションを示す画像７２，走行距離を示す画像７３，警告画像７４等が表示される。警告画像７４は、警告図形（警告マーク）７４ａ及び警告文字（警告マーク）７４ｂと、縁取り部７４ｃ，７４ｄとからなる。
【００１７】
警告図形７４ａは、車両のエンジンを模した図形からなるものであり、赤色表示される。警告文字７４ｂは、「ＣＨＥＣＫ  ＥＮＧＩＮＥ」という文字列からなるものであり、警告図形７４ａに隣接するように、赤色表示される。縁取り部７４ｃは、警告図形７４ａを縁取るように、白色で点滅表示される。縁取り部７４ｄは、警告文字７４ｂを縁取るように、白色で点滅表示される。縁取り部７４ｃ，７４ｄは、警告図形７４ａ，警告文字７４ｂから外側に向かって、徐々に明度が低下するように表示される。つまり、縁取り部７４ｃ，７４ｄは、周囲から警告図形７４ａ，警告文字７４ｂからに向かって、徐々に明度が上がり、警告図形７４ａ，警告文字７４ｂの外形線で最高明度になるように表示される。警告画像７４の背景は黒色表示される。
【００１８】
図４は、第二実施形態を示すものである。第二実施形態は、警告画像７５のみが第一実施形態と異なり、他の構成は第一実施形態と同様である。
【００１９】
警告画像７５は、警告図形（警告マーク）７５ａ及び警告文字（警告マーク）７５ｂと、縁取り部７５ｃ，７５ｄとからなる。警告図形７５ａは、車両のエンジンを模した図形からなるものであり、白色表示される。警告文字７５ｂは、「ＣＨＥＣＫ  ＥＮＧＩＮＥ」という文字列からなるものであり、警告図形７５ａに隣接するように、白色表示される。縁取り部７５ｃは、警告図形５４ａを縁取るように、赤色で点滅表示される。縁取り部７５ｄは、警告文字７５ｂを縁取るように、赤色で点滅表示される。警告画像７５の背景は黒色表示される。
【００２０】
第一，第二実施形態によれば、縁取り部７４ｃ，７４ｄ，７５ｃ，７５ｄを点滅表示させることにより、異常の発生を迅速に認識できる。且つ、警告図形７４ａ，７５ａ及び警告文字７４ｂ，７５ｂを点滅させないことにより、警告画像７４，７５の視認性が良好になる。
【符号の説明】
【００２１】
３１    液晶表示パネル（表示パネル）
５０    マイコン（制御手段）
７４    警告画像
７４ａ  警告図形（警告マーク）
７４ｂ  警告文字（警告マーク）
７４ｃ  縁取り部
７４ｄ  縁取り部
７５    警告画像
７５ａ  警告図形（警告マーク）
７５ｂ  警告文字（警告マーク）
７５ｃ  縁取り部
７５ｄ  縁取り部
【図１】
2013032030.tif 000003
【図２】
2013032030.tif 000004
【図３】
2013032030.tif 000005
【図４】
2013032030.tif 000006